(57)【要約】【課題】回動部材を一方向に回転させるためのスイッチの操作感覚と、他方向に回転させるためのスイッチの操作感覚とを等しくすることができる電子機器を提供する。【解決手段】電子機器としてのカーナビ１は機器本体２と表示ユニット３と駆動機構４を備えている。表示ユニット３は回動軸Ｐを中心として回動自在に機器本体２に支持されている。駆動機構４は回動軸Ｐを中心として表示ユニット３を回動する。表示ユニット３の表示パネル３ａには回動軸Ｐを互いの間に位置付ける第１スイッチと第２スイッチが設けられている。第１スイッチは回動軸Ｐを中心とした一方向Ｉに表示ユニット３を回転させるためのスイッチである。第２スイッチは回動軸Ｐを中心とした他方向Ｔに表示ユニット３を回転させるためのスイッチである。【選択図】図４
2007250844.tif 000002
【特許請求の範囲】
【請求項１】
機器本体に回動軸を中心として回転自在に支持された回動部材と、
前記回動部材に設けられ、かつ前記回動軸を中心とした一方向に前記回動部材を回転させるための第１スイッチと、
前記回動部材に設けられ、かつ前記回動軸を中心とした前記一方向と逆向きの他方向に前記回動部材を回転させるための第２スイッチと、を備えた電子機器において、
前記第１スイッチと前記第２スイッチとを、互いの間に前記回動軸を位置付ける位置に配置したことを特徴とする電子機器。
【請求項２】
前記第１スイッチと前記第２スイッチとを、前記回動軸に関して対称となる位置に配置したことを特徴とする請求項１記載の電子機器。
【請求項３】
前記第１スイッチと前記第２スイッチとを操作すると、該第１スイッチと第２スイッチとの双方を操作する使用者に双方のスイッチが近づく方向に回動部材が回動する構成となっていることを特徴とする請求項１又は請求項２記載の電子機器。
【請求項４】
前記第１スイッチと前記第２スイッチとを操作すると、該第１スイッチと第２スイッチとの双方を操作する使用者に双方のスイッチが離れる方向に前記回動部材が回動する構成となっていることを特徴とする請求項１又は請求項２記載の電子機器。
【発明の詳細な説明】
【技術分野】
【０００１】
本発明は、例えば自動車等の移動体に装着されるとともに、機器本体に対して回動自在に設けられた表示部などの回動部材を備えた電子機器に関する。
【背景技術】
【０００２】
従来から、移動体としての自動車には、電子機器としてのナビゲーション装置（以下カーナビと呼び、例えば、特許文献１参照）が取り付けられることがある。カーナビは、箱状の機器本体と、この機器本体に回動自在に支持された回動部材としての表示部とを備えている。
【０００３】
機器本体は、扁平な箱状に形成されており、前述した自動車のインストルメントパネルに取り付けられる。機器本体は、ナビゲーションユニット、テレビチューナや、ＤＶＤ（Digital Versatile Disk）プレーヤなどを収容している。
【０００４】
表示部は、扁平な板状に形成されており、例えば、ＬＣＤ（Liquid Crystal Display）などの表示パネルや、各種の操作スイッチを備えている。表示部は、その下端に設けられた回動軸を中心として、機器本体に対して回動自在に設けられている。表示部は、表示パネルに前述したナビゲーションユニットからの情報、ＤＶＤプレーヤが再生した情報や、テレビチューナが受信したテレビ映像を表示する。操作スイッチは、回動軸を中心として表示部を回動させて、該表示部の回動軸回りの向きを変更することなどに用いられる。
【０００５】
前述した構成のカーナビは、使用者が適宜操作スイッチなどを操作して、表示部の向きを変更されて、該表示部に所望の情報を表示する。
【特許文献１】特開２００１−７１８２６号公報
【発明の開示】
【発明が解決しようとする課題】
【０００６】
前述した電子機器としてのカーナビは、表示部の前述した表示パネルが設けられた外表面に適宜操作スイッチを設置しているため、回動軸を中心とした一方向に表示部を回動させるための操作スイッチの操作感覚と、回動軸を中心とした前述した一方向の逆向きの他方向に表示部を回動させるための操作スイッチの操作感覚とが異なることがあった。
【０００７】
特に、前述した双方の操作スイッチが回動軸よりも上方又は下方に配置されていた場合には、一方の操作スイッチを操作して表示部が一方向に回動すると、使用者から該一方の操作スイッチが離れるとともに、他方の操作スイッチを操作して表示部が他方向に回動すると、使用者に該他方の操作スイッチが近づくこととなる。このように、従来の電子機器のカーナビでは、一方向に表示部を回動する際には使用者から操作スイッチが離れて、他方向に表示部が回動する際には使用者に操作スイッチが近づくこととなる。
【０００８】
本発明の目的は、例えば、回動部材を一方向に回転させるためのスイッチの操作感覚と、他方向に回転させるためのスイッチの操作感覚とを等しくすることができる電子機器を提供することにある。
【課題を解決するための手段】
【０００９】
前記課題を解決し目的を達成するために、請求項１に記載の本発明の電子機器は、機器本体に回動軸を中心として回転自在に支持された回動部材と、前記回動部材に設けられ、かつ前記回動軸を中心とした一方向に前記回動部材を回転させるための第１スイッチと、前記回動部材に設けられ、かつ前記回動軸を中心とした前記一方向と逆向きの他方向に前記回動部材を回転させるための第２スイッチと、を備えた電子機器において、前記第１スイッチと前記第２スイッチとを、互いの間に前記回動軸を位置付ける位置に配置したことを特徴としている。
【発明を実施するための最良の形態】
【００１０】
以下、本発明の一実施形態にかかる電子機器を説明する。本発明の一実施形態にかかる電子機器は、回動軸を互いの間に位置付ける位置に第１スイッチと第２スイッチとを配置することで、表示部が回動軸回りに回転する際に、第１及び第２スイッチの双方に使用者が近づく構成又は第１及び第２スイッチの双方から使用者が離れる構成としている。こうすることで、電子機器は、回動部材を一方向と他方向との双方に回動する際の第１及び第２スイッチ双方の操作感覚を等しくしている。
【００１１】
また、第１スイッチと第２スイッチとを回動軸に関して対称となる位置に配置しても良い。この場合、第１スイッチと回動軸との距離と、第２スイッチと回動軸との距離とが互いに等しくなる。したがって、電子機器は、回動部材を一方向と他方向との双方に回動する際の第１及び第２スイッチ双方の操作感覚が確実に等しくなる。
【００１２】
第１及び第２スイッチが使用者に近づく方向に回動部材を回動させても良い。この場合、回動部材が回動しても、第１及び第２スイッチを容易に操作し続けることが可能となる。
【００１３】
第１及び第２スイッチが使用者から離れる方向に回動部材を回動させても良い。この場合、回動部材が回動しても、第１及び第２スイッチを過度に操作し続けることを防止できる。
【実施例】
【００１４】
本発明の一実施例を、図１ないし図５に基づいて説明する。電子機器としてのカーナビゲーション装置（以下、カーナビと呼ぶ）１は、図１などに示すように、移動体としての自動車のインストルメントパネル（以下、インパネと呼ぶ）Ｄなどに装着される。
【００１５】
カーナビ１は、図２に示すように、機器本体２と、機器本体２に回動自在に設けられた回動部材としての表示ユニット３と、機器本体２に対して表示ユニット３を回動させる駆動機構４（図４に示す）と、ＲＯＭ５（図５に示す）と、ＣＰＵ６（図５に示す）などを備えている。
【００１６】
機器本体２は、扁平な箱状に形成されている。機器本体２は、インパネＤに取り付けられる。機器本体２は、インパネＤに装着された際に、自動車の乗員室側に露出する面に後述のＤＶＤ―ＲＯＭやＤＶＤビデオなどを出し入れする挿入口２ｂと、操作部７とを設けている。なお、以下、図２などに示す前述した自動車の車幅方向の矢印Ｘをカーナビ１の幅方向と記し、前述した自動車の前後方向の矢印Ｙをカーナビ１の奥行き方向と記し、前述した自動車の高さ方向の矢印Ｚをカーナビ１の厚み方向と記す。
【００１７】
また、機器本体２は、図５に示すナビゲーションユニット８と、ＤＶＤプレーヤ９と、テレビチューナ１０などを収容している。ナビゲーションユニット８は、ＧＰＳ（Global Positioning System：全地球測位システム）などを用いて、自動車の位置を測定したり、自動車の移動方向などを算出する。そして、ナビゲーションユニット８は、自動車の位置や移動方向などを表示ユニット３の後述する表示パネル３ａに表示する。
【００１８】
ＤＶＤプレーヤ９は、周知のＤＶＤ（Digital Versatile Disk）―ＲＯＭ（Read Only Memory）やＤＶＤビデオなどを再生して、これらのＤＶＤ―ＲＯＭやＤＶＤビデオなどからの情報を表示ユニット３の表示パネル３ａに表示する。テレビチューナ１０は、テレビ放送を受信して、受信して得た映像を表示ユニット３の表示パネル３ａに表示する。
【００１９】
操作部７は、複数の操作ボタン１１などを備えている。これらの操作ボタン１１則ち操作部７は、前述した表示パネル３ａに表示する情報を、ナビゲーションユニット８からの情報と、ＤＶＤプレーヤ９からの情報と、テレビチューナ１０からの情報とを切り換えるためなどに用いられる。また、操作ボタン１１則ち操作部７は、機器本体２内から表示ユニット３を出し入れするために用いられる。
【００２０】
表示ユニット３は、液晶ディスプレイ（Liquid Crystal Display）などからなる文字や画像などの情報を運転者などに向かって表示して視認させるための表示面としての表示パネル３ａと、この表示パネル３ａを収容する筐体部材３ｂなどを備えている。表示パネル３ａは、表示ユニット３の表面をなしている。表示ユニット３は、表示パネル３ａが前述した乗員室側に露出した格好で、機器本体２にその下端部３ｃを中心として回動自在に支持されている。即ち、表示ユニット３の表示パネル３ａは、鉛直方向と略平行となる。表示ユニット３の回転中心をなす回動軸Ｐ（図２などに一点鎖線で示す）は、直線状に延在しており、矢印Ｘ即ち水平方向と平行である。
【００２１】
表示ユニット３は、回動軸Ｐを中心した一方向としての矢印Ｉ（図４中に二点鎖線で示す）と、回動軸Ｐを中心とした前述した矢印Ｉの逆向きの他方向としての矢印Ｔ（図４中に一点鎖線で示す）と、の双方に回転自在に支持されている。表示ユニット３の表示パネル３ａは、前述したナビゲーションユニット８と、ＤＶＤプレーヤ９と、テレビチューナ１０からの情報を表示する。
【００２２】
また、前述した表示ユニット３の表示パネル３ａには、図３に示すように、第１スイッチ１２と、第２スイッチ１３とが設けられている。即ち、第１スイッチ１２と第２スイッチ１３とは、表示ユニット３の乗員即ち使用者に対して相対して情報を表示する表面に設けられている。第１スイッチ１２と、第２スイッチ１３とは、それぞれ、タッチパネルとなっており、使用者から押圧操作が施される。第１スイッチ１２と第２スイッチ１３は、表示ユニット３の正面からみて、互いの間に回動軸Ｐを位置付ける位置に配置されている。また、第１スイッチ１２と第２スイッチ１３とは、表示ユニット３の正面からみて、回動軸Ｐに関して対称となる位置に配置されている。
【００２３】
第１スイッチ１２及び第２スイッチ１３は、使用者などから押圧されると、該押圧されたことを示す情報をＣＰＵ６に向かって出力する。第１スイッチ１２は、表示ユニット３を前述した回動軸Ｐを中心として矢印Ｉに回転するために用いられる。第２スイッチ１３は、表示ユニット３を前述した回動軸Ｐを中心として矢印Ｔに回転するために用いられる。このように、第１スイッチ１２及び第２スイッチ１３は、表示ユニット３の向きを調整するためなどに用いられる。
【００２４】
駆動機構４は、図４に示すように、駆動源としてのモータ１４と、連結歯車１５と、回動軸用歯車１６とを備えている。モータ１４は、機器本体２に固定されており、その出力軸にピニオン１７が取り付けられている。連結歯車１５は、機器本体２に回転自在に支持されており、ピニオン１７と噛み合っている。回動軸用歯車１６は、前述した回動軸Ｐと同軸に配置されかつ該表示ユニット３に固定されている。回動軸用歯車１６は、連結歯車１５と噛み合っている。
【００２５】
前述した構成によって、駆動機構４は、例えば、モータ１４が正転駆動すると、回動軸Ｐを中心として矢印Ｉに沿って表示ユニット３を回転する。駆動機構４は、モータ１４が逆転駆動すると、回動軸Ｐを中心として矢印Ｔに沿って表示ユニット３を回転する。
【００２６】
ＲＯＭ５は、カーナビ１を動作させるためのプログラムなどを記憶している。ＲＯＭ５は、ＣＰＵ６を後述するように動作するためのプログラムを記憶している。
【００２７】
ＣＰＵ６は、制御手段をなしており、図５に示すように、ナビゲーションユニット８と、ＤＶＤプレーヤ９と、テレビチューナ１０と、前述した駆動機構４のモータ１４と、第１及び第２スイッチ１２，１３と、ＲＯＭ５と、操作部７などと接続しており、これらを制御することにより、カーナビ１全体の制御をつかさどる。
【００２８】
ＣＰＵ６は、操作部７の操作ボタン１１などの操作通りに、表示ユニット３にナビゲーションユニット８からの情報とＤＶＤプレーヤ９からの情報とテレビチューナ１０からの情報とのうちいずれかを表示させる。また、ＣＰＵ６は、操作部７の操作ボタン１１などの操作通りに、機器本体２にＤＶＤなどを出し入れする。
【００２９】
さらに、ＣＰＵ６は、図４中に二点鎖線で示すように、第１スイッチ１２が押圧操作されると、モータ１４を正転駆動して、回動軸Ｐを中心として表示ユニット３を矢印Ｉに沿って回転させる。ＣＰＵ６は、第１スイッチ１２が押圧されている間中、モータ１４を正転駆動して、回動軸Ｐを中心として表示ユニット３を矢印Ｉに沿って回転させる。
【００３０】
ＣＰＵ６は、図４中に一点鎖線で示すように、第２スイッチ１３が押圧操作されると、モータ１４を逆転駆動して、回動軸Ｐを中心として表示ユニット３を矢印Ｔに沿って回転させる。ＣＰＵ６は、第２スイッチ１３が押圧されている間中、モータ１４を逆転駆動して、回動軸Ｐを中心として表示ユニット３を矢印Ｔに沿って回転させる。
【００３１】
このように、前述したＣＰＵ６などによって、本実施例では、第１及び第２スイッチ１２，１３との双方が押圧された際に、該第１及び第２スイッチ１２，１３の双方が該スイッチ１２，１３を押圧する使用者などの指から離れる方向に、表示ユニット３が回転する構成となっている。
【００３２】
本実施例のカーナビ１は、第１スイッチ１２及び第２スイッチ１３とを適宜押圧操作して、表示ユニット３の向きを適宜変更して、該表示ユニット３の表示パネル３ａに各種の情報を表示する。
【００３３】
本実施例によれば、回動軸Ｐを互いの間に位置付ける位置に第１スイッチ１２と第２スイッチ１３とを配置しているので、表示ユニット３が回動軸Ｐ回りに回転する際に、第１及び第２スイッチ１２，１３の双方が使用者から回転に伴って徐々に離れる構成となっている。このため、カーナビ１は、表示ユニット３を一方向としての矢印Ｉと他方向としての矢印Ｔとの双方に回動する際の第１及び第２スイッチ１２，１３双方の操作感覚が等しくなる。
【００３４】
また、第１スイッチ１２と第２スイッチ１３とを回動軸Ｐに関して対称となる位置に配置しているので、第１スイッチ１２と回動軸Ｐとの距離と、第２スイッチ１３と回動軸Ｐとの距離とが互いに等しくなる。したがって、カーナビ１は、表示ユニット３を一方向としての矢印Ｉと他方向としての矢印Ｔとの双方に回動する際の第１及び第２スイッチ１２，１３双方の操作感覚が確実に等しくなる。
【００３５】
第１及び第２スイッチ１２，１３が使用者から離れる方向に表示ユニット３を回動させているので、表示ユニット３が回動しても、第１及び第２スイッチ１２，１３を過度に操作し続けることを防止できる。
【００３６】
前述した実施例では、前述したＣＰＵ６などによって、第１及び第２スイッチ１２，１３との双方が押圧された際に、該第１及び第２スイッチ１２，１３の双方が該スイッチ１２，１３を押圧する使用者などの指から離れる方向に、表示ユニット３が回転する構成となっている。しかしながら、本発明では、図６に示すように、前述したＣＰＵ６などによって、第１及び第２スイッチ１２，１３との双方が押圧された際に、該第１及び第２スイッチ１２，１３の双方が該スイッチ１２，１３を押圧する使用者などの指に回転に伴って徐々に近づく方向に、表示ユニット３が回転する構成としても良い。なお、図６において、前述した実施例と同一部分には、同一符号を付して説明を省略する。
【００３７】
即ち、図６に示された例では、第１スイッチ１２が押圧されると、ＣＰＵ６がモータ１４を逆転駆動させて、矢印Ｉに沿って表示ユニット３を回転する。また、第２スイッチ１３が押圧されると、ＣＰＵ６がモータ１４を正転駆動させて、矢印Ｔに沿って表示ユニット３を回転する。この場合、第１及び第２スイッチ１２，１３が使用者に近づく方向に表示ユニット３を回動させているので、表示ユニット３が回動しても、第１及び第２スイッチ１２，１３を容易に操作し続けることが可能となる。
【００３８】
また、前述した実施例では、第１スイッチ１２と第２スイッチ１３との双方を表示パネル３ａに設けたタッチパネルとしたが、本発明では、図８に示すように、第１スイッチ１２と第２スイッチ１３との双方を、本体部２０と該本体部２０に凸没自在に設けられた接触子２１とを有した所謂機械式のスイッチとしても良い。この場合、図７及び図８に示すように、前述した回動軸Ｐと同軸に設けられ、かつ表示ユニット３の下端部３ｃに回転自在に設けられた操作体２２と、該操作体２２が前述した第１及び第２スイッチ１２，１３の双方の接触子２１から間隔をあけた中立位置に付勢する付勢手段とを設けて、スイッチ１２，１３の本体部２０を表示ユニット３に固定するのが望ましい。なお、図７及び図８において、前述した実施例と同一部分には、同一符号を付して説明を省略する。
【００３９】
図８に示す場合では、表示ユニット３の側方からみて、第１スイッチ１２と第２スイッチ１３とを、互いの間に回動軸Ｐを位置付ける位置に配置している。そして、操作体２２を付勢手段の付勢力に抗して矢印Ｉに沿って回転操作すると、第１スイッチ１２の接触子２１が本体部２０内に向かって押圧されて、ＣＰＵ６がモータ１４を正転駆動して、表示ユニット３を矢印Ｉに沿って回転する。なお、操作体２２を付勢手段の付勢力に抗して矢印Ｉに沿って回転操作している間中、表示ユニット３が矢印Ｉに沿って回転する。
【００４０】
また、操作体２２を付勢手段の付勢力に抗して矢印Ｔに沿って回転操作すると、第２スイッチ１３の接触子２１が本体部２０内に向かって押圧されて、ＣＰＵ６がモータ１４を逆転駆動して、表示ユニット３を矢印Ｔに沿って回転する。なお、操作体２２を付勢手段の付勢力に抗して矢印Ｔに沿って回転操作している間中、表示ユニット３が矢印Ｔに沿って回転する。
【００４１】
前述した図示例は、表示ユニット３を回動軸Ｐを中心として回動自在としている。しかしながら、本発明では、表示ユニット３に限らず種々の部品を機器本体２に対して回動自在としても良い。また、前述した実施例では、回動部材としての表示ユニット３の下端部３ｃに設けられて水平方向と平行な回動軸Ｐを中心として、該表示ユニット３を回動自在としている。しかしながら、本発明では、回動部材に種々の位置に設けられた回動軸Ｐを中心として、該回動部材を回動自在としても良い。要するに、本発明では、直線状の回動軸Ｐを中心として、回動部材を回動自在とすれば良い。
【００４２】
前述した実施例によれば、以下のカーナビ１が得られる。
【００４３】
（付記）  機器本体２に回動軸Ｐを中心として回転自在に支持された表示ユニット３と、
前記表示ユニット３に設けられ、かつ前記回動軸Ｐを中心とした一方向Ｉに前記表示ユニット３を回転させるための第１スイッチ１２と、
前記表示ユニット３に設けられ、かつ前記回動軸Ｐを中心とした前記一方向Ｉと逆向きの他方向Ｔに前記表示ユニット３を回転させるための第２スイッチ１３と、を備えたカーナビ１において、
前記第１スイッチ１２と前記第２スイッチ１３とを、互いの間に前記回動軸Ｐを位置付ける位置に配置したことを特徴とするカーナビ１。
【００４４】
付記に記載のカーナビ１によれば、回動軸Ｐを互いの間に位置付ける位置に第１スイッチ１２と第２スイッチ１３とを配置しているので、表示ユニット３が回動軸Ｐ回りに回転する際に、第１及び第２スイッチ１２，１３の双方に使用者が近づく構成又は第１及び第２スイッチ１２，１３の双方から使用者が離れる構成となる。このため、カーナビ１は、表示ユニット３を一方向としての矢印Ｉと他方向としての矢印Ｔとの双方に回動する際の第１及び第２スイッチ１２，１３双方の操作感覚が等しくなる。
【００４５】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００４６】
【図１】本発明の一実施例にかかる電子機器としてのカーナビが自動車のインパネに取り付けられた状態を示す斜視図である。
【図２】図１に示されたカーナビの斜視図である。
【図３】図２に示されたカーナビの表示ユニットの正面図である。
【図４】図２に示されたカーナビの要部の側面図である。
【図５】図１に示されたカーナビの主要な構成を示すブロック図である。
【図６】図１に示されたカーナビの変形例の要部の側面図である。
【図７】図１に示されたカーナビの他の変形例の要部の正面図である。
【図８】図７に示されたカーナビの他の変形例の要部の側面図である。
【符号の説明】
【００４７】
１  カーナビ（電子機器）
２  機器本体
３  表示ユニット（回動部材）
３ａ  表示パネル（表面）
１２  第１スイッチ
１３  第２スイッチ
Ｉ  一方向
Ｔ  他方向
Ｐ  回動軸
【図１】
2007250844.tif 000003
【図２】
2007250844.tif 000004
【図３】
2007250844.tif 000005
【図４】
2007250844.tif 000006
【図５】
2007250844.tif 000007
【図６】
2007250844.tif 000008
【図７】
2007250844.tif 000009
【図８】
2007250844.tif 000010